(57)【特許請求の範囲】
【請求項１】
脱気器と脱気器内に給水をする水位調節弁を有する給水配管と、脱気器内の気体を外部に放出する空気抜き弁を有する空気抜き配管と、脱気器に加熱脱気用の蒸気を導入するための脱気用蒸気供給調節弁を有する脱気用蒸気供給配管と、該脱気用蒸気供給配管に前記脱気用蒸気供給調節弁に並列に配置されたバイパス弁を備えたバイパス脱気用蒸気供給配管とを備えた脱気システムの運転方法であって、
脱気器運転中は空気抜き弁を開き、かつバイパス弁を閉じ、脱気器蒸気供給調節弁により脱気器の器内圧力を第１の規定値に制御し、
脱気器運転停止中は空気抜き弁と脱気用蒸気供給調節弁を閉じ、かつ脱気器の器内圧力が第２の規定値になると前記バイパス弁を開き、脱気器の器内圧力が第２の規定値より高い第３の規定値になると前記バイパス弁を閉じて脱気器運転停止中も脱気器の器内圧力を通常運転圧力近傍に保持する
ことを特徴とする脱気システムの運転方法。
【発明の詳細な説明】
【０００１】
【発明の属する技術分野】
本発明は、脱気器とその運転方法に係り、頻繁な起動停止運用を行うプラントにおいて、プラント運転停止中にも脱気器の圧力を正圧に保持し、以て次回起動時の給水条件の確立を容易ならしめるに好適な脱気システムの運転方法を提供するものである。
【０００２】
【従来の技術】
脱気器１はボイラ給水中の溶存酸素などの非凝縮ガス成分を予め除くための装置であり、図２に従来技術にかかる脱気器システムを示す。
【０００３】
脱気器１に給水３が給水配管１６から供給されるが、加熱脱気用として蒸気４が通常補助蒸気系統又は自缶発生蒸気から蒸気供給配管１７を経由して同時に脱気器１内に供給され、脱気器１の内圧を規定圧力ひいてはその飽和温度まで昇温させることにより溶存酸素を除去する。脱気された水はボイラ給水としてボイラ給水配管１８から給水ポンプ２によりボイラ５に供給される。
【０００４】
ボイラ給水として脱気器１から抜き出される給水流量分だけ脱気器１内の水位が低下するので、水位発信器７の計測値に基づき給水配管１６に設けられた給水調節弁８の開度を水位制御器９により制御して脱気器１内の水位制御をする。脱気用蒸気４は脱気用器給水３の供給量に応じて脱気器１内が規定運転圧力になるように圧力制御器１２による脱気器１の圧力調節弁１１の開閉制御によって蒸気配管１７から供給される。溶存酸素等脱気された非凝縮ガスは脱気器１の頂部に設けられた空気配管１９の空気抜き弁１４を開閉制御して常時一定量脱気器１内のガスを空気抜き（ベント）６として外部へ排出することにより除去される。
【０００５】
【発明が解決しようとする課題】
従来はボイラプラントの起動／停止の繰り返し頻度が少なかったので空気抜き弁１４はボイラプラント起動と停止毎に脱気器１も同じように起動と停止がなされるので、ボイラプラント起動と停止のたびに脱気器１も起動と停止を行う必要があった。このとき、従来は脱気器１の各配管に設けられた流量調節弁を手動により開閉していた。つまり、ボイラプラントの運転停止中は脱気器１が冷えて内部が真空になるのを防ぐために大気開放が必要であり、そのため、脱気器１の運転停止中に脱気器１内部の気体が外気と触れて溶存酸素濃度が上昇するので、次回起動時には給水水質が整うまで循環運転するか、起動時は一時的に水質を犠牲にする運用をせざるを得なかった。
【０００６】
前記した脱気器１の運用方法では、最近多くなってきた給電調整用の起動と停止を繰り返す運用が多いボイラプラントでは起動停止毎に脱気器１の流動調節弁を手動操作する必要があり、かつ次回の起動時の水質調整にも時間を要すこととなっていた。
【０００７】
そこで本発明の課題は、ボイラプラントの起動と停止の繰り返し頻度が多くなっても脱気器の起動と停止を自動的に行うことができるようにすることである。
【０００８】
【課題を解決するための手段】
上記本発明の課題は脱気器の運転停止中にも脱気器内部の圧力が放散熱で冷えて負圧にならないように、放熱分の熱を外部から供給して脱気器内部を常に正圧を保持できるようにした脱気システムを構成することで達成される。
【０００９】
すなわち、本発明は以下の構成からなる。
脱気器と脱気器内に給水をする水位調節弁を有する給水配管と、脱気器内の気体を外部に放出する空気抜き弁を有する空気抜き配管と、脱気器に加熱脱気用の蒸気を導入するための脱気用蒸気供給調節弁を有する脱気用蒸気供給配管と、該脱気用蒸気供給配管に前記脱気用蒸気供給調節弁に並列に配置されたバイパス弁を備えたバイパス脱気用蒸気供給配管とを備えた脱気システムの運転方法であって、脱気器運転中は空気抜き弁を開き、かつバイパス弁を閉じ、脱気器蒸気供給調節弁により脱気器の器内圧力を第１の規定値に制御し、脱気器運転停止中は空気抜き弁と脱気用蒸気供給調節弁を閉じ、かつ脱気器の器内圧力が第２の規定値になると前記バイパス弁を開き、脱気器の器内圧力が第２の規定値より高い第３の規定値になると前記バイパス弁を閉じて脱気器運転停止中も脱気器の器内圧力を通常運転圧力近傍に保持する脱気システムの運転方法である。
【００１０】
このとき、脱気用蒸気供給調節弁の開度よりバイパス弁の開度を小さくすることが脱気器の器内圧力の制御上好ましい。
【００１１】
【作用】
脱気用蒸気供給配管に設けた脱気用蒸気供給調節弁に並列になるように、例えば脱気用蒸気供給調節弁より開度が小さいバイパス弁が設けられているので、脱気器運転中は空気抜き弁を開き、脱気器運転停止中は前記空気抜き弁と前記脱気用蒸気供給調節弁を閉じ、かつ脱気器の器内圧力が第２の規定値になると前記バイパス弁を開き、脱気器の器内圧力が第２の規定値より高い第３の規定値になるとバイパス弁を閉じて脱気器運転停止中も脱気器の器内圧力を通常運転圧力近傍に保持する。こうして脱気器１の運転停止中にも脱気器の内部圧力が放散熱で冷えて負圧にならないよう放熱分の熱を外部から供給して常に正圧を保持できる。
【００１２】
【発明の実施の形態】
本発明の実施の形態を図面と共に説明する。
図１に本実施の形態の脱気システムの構成を示す。脱気器１に給水３が供給されるが加熱脱気用として蒸気４が通常補助蒸気系統又は自缶発生蒸気から同時に蒸気配管１７を経由して供給され、脱気器１の内圧を規定圧力になるまで、さらにはその飽和温度まで昇温させることにより溶存酸素を除去する。
【００１３】
脱気器１内で脱気された水はボイラ給水としてボイラ給水配管１８を経由して給水ポンプ２によりボイラ５に供給されるが、ボイラ給水として脱気器１から抜き出される給水流量分だけ脱気器１の水位が低下するので、水位発信器７で計測された低下水位分の給水を水位制御器９により開度調節された給水調節弁８の開度に応じた流量の給水３が給水配管１６を経由して脱気器１内に供給される。脱気用蒸気４は脱気器給水３の供給量に応じて脱気器１内が規定運転圧力になるように、脱気器圧力発信器１０で検出された圧力に基づき、脱気器圧力制御器１２により蒸気配管１７に設けられた脱気器圧力調整弁１１の開度を制御することによって供給される。
【００１４】
また、溶存酸素等の脱気された非凝縮ガスは脱気器１の頂部に接続した空気配管１９の空気抜き弁１４の開閉制御により常時一定量の脱気器１内のガスをベント（空気抜き）６として外部へ排出することにより除去される。
【００１５】
ここで空気抜き弁１４は給水ポンプ２のポンプ起動停止信号１５に基づき遠隔自動開閉できるようになっている。また、蒸気配管１７に設けられた脱気器圧力調整弁１１を迂回するように脱気器圧力調節弁１１と並列配置され、かつ遠隔自動操作で動作する脱気器圧力調節弁バイパス弁１３が第二蒸気配管２０に設けられている。脱気器圧力調節弁バイパス弁１３は、脱気器圧力調節弁１１に比べて容量が小さく、脱気用蒸気４の流量の微小な調整が可能な構成である。
【００１６】
脱気器１の運転中は空気抜き弁１４は開状態、脱気器圧力調節弁バイパス弁１３は閉状態であるが、脱気器１の運転停止時には、例えば給水ポンプ２の停止信号１５で空気抜き弁１４が閉じ、また脱気器圧力調節弁１１は前記給水ポンプ２の給水停止とともに自動的に閉じる。
【００１７】
ここでボイラプラントの運転停止中、すなわち脱気器１の運転停止中は脱気器１の放散熱により徐々に脱気器１内の圧力が低下してくるので脱気器１内の圧力が大気圧より少し高い圧力、例えば０．０１ＭＰａ（ｇ）で脱気器圧力調節弁バイパス弁１３を開き、補助蒸気系統又は自缶ドラム残圧を利用した蒸気源から蒸気を第二蒸気配管２０を経由して供給して脱気器１の圧力を上昇させる。蒸気の導入を行いながら、通常運転圧力近傍、例えば０．０７ＭＰａ（ｇ）になると脱気器圧力調節弁バイパス弁１３を閉じ、脱気器１の器内圧力を運転停止直後の状態に復帰させる。これを繰り返し、運転停止中の脱気器１の器内圧力を常時０．０１〜０．０７ＭＰａ（ｇ）に保持することにより次回起動時、即給水可能な状態にしておくことができる。
【００１８】
なお、脱気器圧力調節弁１１自体で放散熱量のバックアップをする場合、脱気器圧力調節弁１１の口径が通常２００Ａ（日本工業規格の表示）以上あることから放散熱量程度の加熱蒸気を導入するには口径が大きすぎ、規定の圧力に調節することは困難である。
【００１９】
【発明の効果】
本発明の脱気システムの運転方法によれば、脱気器は装置停止中にも器内圧を正圧に保持でき、系外の大気と接触することがないので、水質も供給可能な状態に保持でき、次起動時に即対応できる。
【図面の簡単な説明】
【図１】  本発明の実施の形態の脱気器廻りの制御系統構成図である。
【図２】  従来技術による脱気器廻りの制御系統構成図である。
【符号の説明】
１  脱気器                          ２  給水ポンプ
３  脱気器給水                      ４  脱気用蒸気
５  ボイラ給水                      ６  脱気器空気抜き
７  脱気器水位発信器                ８  脱気器給水調節弁
９  脱気器水位制御器                １０  脱気器圧力発信器
１１  脱気器圧力調節弁              １２  脱気器圧力制御器
１３  脱気器圧力調節弁バイパス弁    １４  脱気器空気抜き弁
１５  ポンプ起動停止信号            １６  給水配管
１７  蒸気配管                      １８  ボイラ給水配管
１９  空気配管                      ２０  第二蒸気配管
【図１】
0004043711.tif 000002
【図２】
0004043711.tif 000003